(57)【要約】【課題】あらかじめデータを登録するなどの必要がなく、曲数の制限もなく、楽曲データにいかなる改変をも加えることなく、再生音量を揃えられ、汎用性も高いディジタルオーディオ再生装置を提供する【解決手段】記憶媒体１から、読み出し手段２により第１の楽曲のディジタルデータを読み出して一時記憶手段３に一時記憶する。このデータを音声データ変換手段４でデコードして再生する。再生中に読み出し手段２は第２の楽曲を記憶媒体１から読み出して音量検出手段６に与え、ここで検出された音量データを第１の楽曲の音量データと比較して、その結果により音量調整手段５を制御して第２の楽曲を再生する。【選択図】図１
2005293652.tif 000002
【特許請求の範囲】
【請求項１】
複数のディジタルオーディオデータを記憶する記憶媒体と、
前記記憶媒体からディジタルオーディオデータを読み出す読み出し手段と、
前記記憶媒体から読み出されたディジタルオーディオデータを一時記憶する一時記憶手段と、
前記一時記憶手段に記憶されたディジタルオーディオデータの音量を検出する音量検出手段と、
前記一時記憶手段に記憶されたディジタルオーディオデータをデコードして再生する音声データ変換手段と、
前記音量検出手段の検出結果に基づいて前記音声データ変換手段の出力の音量を調整する音量調整手段と、
前記各部を制御する制御手段とを備え、
前記記憶媒体から前記読み出し手段によって読み出されて前記一時記憶手段に一時記憶された第１の楽曲の再生中に前記記憶媒体の第２の楽曲のデータを先読みして、そのデータから前記音量検出手段が音量データを検出し、第１の楽曲と第２の楽曲の音量データを比較した結果に従って前記音量調整手段が第２の楽曲の音量を調整することを特徴とするディジタルオーディオ再生装置。
【発明の詳細な説明】
【技術分野】
【０００１】
本発明はディジタルオーディオデータ再生時の自動音量調整に関するものである。
【背景技術】
【０００２】
一般に市販されているCDなどにディジタル記録されたオーディオデータの音量はディスク毎に一定でない。ディスクを１枚ずつ挿入するシングルタイプの再生装置ではディスクを入れ替えて再生を開始するのに、通常、人の操作が介在するため、音量調整も同時に人が行うことが多く、自動調整の必要性をあまり感じない。しかし、多数のディスクを筐体に収めて連続再生できる、所謂チェンジャータイプのディスク再生装置などでは、音量のばらつきは無視できないレベルであることも多く、音量の自動調整は大いに有効な機能である。
【０００３】
今日、音声データの圧縮技術、大量データのストレージ技術などを組み合わせることで、多彩な記憶媒体に、数百から数千曲もの楽曲を記憶させて自由に聴くことのできる環境が整ってきた。しかしながら、そこに供される楽曲データは、CDリッピングやインターネット経由などで得られることが多いが、一般に再生音量はまちまちで、連続再生時に無視できない音量差を生じ、快適な聴取を妨げる原因となっている。従って自動音量調整の必要性は今後増していくものと予測される。
【０００４】
従来、このような機能を提供する手段としては、例えばディスク再生装置の場合、第１の例として、再生するディスク毎の音量を、装置に付与した記憶装置に予め記憶させておき、再生するディスクを何らかの手段で判別して、記憶された音量に調整するというものがある。
【０００５】
また、第２の例としては、特許文献１のように、再生されるデータに予め音量データを付与しておいて、そのデータに従って音量調整を行うというものがある。
【特許文献１】特開２０００−６７５１７号公報
【発明の開示】
【発明が解決しようとする課題】
【０００６】
上記の、第１の従来の方法では、ディスクの判別が困難で、確実性に欠ける。予め登録が必要であり、ディスクが増えると対応が困難になる、などの問題がある。
【０００７】
また上記の第２の従来の方法では、予めデータを操作する必要があるため煩雑であり、データを、ある再生装置専用に改変してしまうため汎用性に欠けるという問題がある。
【０００８】
本発明は、あらかじめデータを登録するなどの煩雑さから開放され、曲数の制限もなく、楽曲データにいかなる改変をも加えることなく、再生音量を揃えられ、汎用性も高いディジタルオーディオ再生装置を提供することを目的とする。
【課題を解決するための手段】
【０００９】
上記課題を解決するために、本発明のディジタルオーディオ再生装置は、複数のディジタルオーディオデータを記憶する記憶媒体と、前記記憶媒体からディジタルオーディオデータを読み出す読み出し手段と、前記記憶媒体から読み出されたディジタルオーディオデータを一時記憶する一時記憶手段と、前記一時記憶手段に記憶されたディジタルオーディオデータの音量を検出する音量検出手段と、前記一時記憶手段に記憶されたディジタルオーディオデータをデコードして再生する音声データ変換手段と、前記音量検出手段の検出結果に基づいて前記音声データ変換手段の出力の音量を調整する音量調整手段と、前記各部を制御する制御手段とを備え、前記記憶媒体から前記読み出し手段によって読み出されて前記一時記憶手段に一時記憶された第１の楽曲の再生中に前記記憶媒体の第２の楽曲のデータを先読みして、そのデータから前記音量検出手段が音量データを検出し、第１の楽曲と第２の楽曲の音量データを比較した結果に従って前記音量調整手段が第２の楽曲の音量を調整することを特徴とするものである。
【発明の効果】
【００１０】
本発明は、予めデータを登録するなどの煩雑さから開放され、曲数の制限もなく、また、楽曲データにいかなる改変をも加えるものではないので、汎用性も高いという利点がある。
【発明を実施するための最良の形態】
【００１１】
以下、図面を用いて本発明の一実施の形態について説明する。図１は、本発明の一実施形態におけるディジタルオーディオ再生装置のブロック図、図２は同じくその制御フローチャートである。ディジタルオーディオデータを格納する記憶媒体１は、たとえばハードディスク、コンパクトディスク、ＤＶＤ、各種規格のメモリカード、固体メモリなどが用いられる。読み出し手段２は、記憶媒体１からデータを読み出すためのものでハードディスク装置（以下HDD）や光デッキなどが用いられる。一時記憶手段３は、後述するようにデータ処理を行う期間、再生を継続させるために一時的にデータを格納する。音声データ変換手段４は、エンコードされて一時記憶手段３に記憶されているディジタルオーディオデータをデコードして音声出力に変換する手段で、一般にディジタルシグナルプロセッサ（ＤＳＰ）などで構成される。音量調整手段５は、アナログ音声出力の音量を制御する。音量検出手段６は、ディジタルオーディオデータから音量データを検出する。制御手段７は上記の各手段を制御するものである。
【００１２】
本発明の特徴は、上記の構成要素と、それらを組み合わせた制御手法にあるので、その他の電子回路や機構の説明は省略する。
【００１３】
以下、図２のフローチャートを併用して動作を説明する。まずステップＳ１で制御手段７が最初に再生する曲を指定し、ステップＳ２でその曲のデータを記憶媒体１から読み出して一時記憶手段３に格納する。ステップＳ３でデータ変換手段４は、一時記憶手段３のデータを読み出して音声データに変換して再生を開始する。
【００１４】
再生中に、ステップ４で制御手段７は最初の曲の場合のみ再生中の音声データから音量データを検出して音量データＡとする。また、制御手段７はステップＳ５で次に再生される曲を決定する。一般に、記憶媒体１に記憶されている順番に再生したり、予め定められた順序、例えばいわゆるプレイリストに従う場合や、装置が持つプログラム機能に従う場合などがある。また、制御手段７がランダムに次の曲を選択してもよい。
【００１５】
このように次に再生する曲が決まると、制御手段７は、ステップＳ６で、読み出し手段２により、次に再生する曲のデータを音量検出手段６に与え、音量データを得る。これを音量データＢとする。
【００１６】
１曲目の再生が終了するとステップＳ７で、制御手段７は音量データＡとＢとを比較し、次の曲の再生時に音量差が少なくなるように音量調整手段５を制御する。ステップＳ８では、ステップＳ６で得られた音量データＢを音量データＡに置き換えて、すなわち音量データＢの次の楽曲が、音量データＡの最初の楽曲と同じレベルになるように音量調整手段５を調整して次曲を再生する。以下、同様な制御を繰り返していく。
【００１７】
音量データの検出は、その曲の中の最大レベルを検出してもよく、また特許文献１にもあるように、記録レベルの規定レベル以上の値の二乗平均レベル（実効値）を算出してもよく、また処理時間を短縮するためには、一定時間ごとに一定区間の音量データを検出して、平均するなどしてもよい。
【００１８】
このように本実施形態によれば、記憶媒体から読み出し手段によって読み出されて一時記憶手段に一時記憶された第１の楽曲の再生中に、第２の楽曲のデータを先読みして、そのデータから音量検出手段が音量データを検出し、第１の楽曲と第２の楽曲の音量データを比較した結果に従って音量調整手段が第２の楽曲の音量を調整することにより、特別な操作なしに音量のばらつきによる不快感を無くし快適な音楽聴取を可能にするものである。
【産業上の利用可能性】
【００１９】
本発明のディジタルオーディオ再生装置は、大容量ストレージに蓄積された、複数のディジタルオーディオデータを連続再生するとき、特別な操作なしに音量のばらつきによる不快感を無くし快適な音楽聴取を可能にするという産業上の利用可能性大なるものである。
【図面の簡単な説明】
【００２０】
【図１】本発明の一実施形態におけるディジタルオーディオ再生装置のブロック図
【図２】同じくその制御フローチャート
【符号の説明】
【００２１】
１    記憶媒体
２    読み出し手段
３    一時記憶手段
４    音声データ変換手段
５    音量調整手段
６    音量検出手段
７    制御手段
【図１】
2005293652.tif 000003
【図２】
2005293652.tif 000004